(57)【要約】      （修正有）【課題】安価に少量生産が可能であり、かつ、カスタマイズの容易なアルバム付き写真集を提供する。また、製版工程を経る印刷特有の網点が発生しない、より高品位なアルバム付き写真集を提供する。【解決手段】写真を用いて作成したページを使用し、表紙とともに製本して成る写真集であって、デジタルデータをプリンターにより用紙に印刷するか、或いは、銀塩フィルムを用いて印画紙に焼き付けるかの、どちらかの方法によって複製された、写真プリント１５を用いて写真集を構成するページ１１を作成し、上記の写真集を構成するページ１１と、スナップ写真、名札、メニュー、チケットなどの内の一部もしくは全部を、当該写真集に関連したシート状の記念品として貼り付ける空きページから成る台紙を有するアルバムページ１２とを併せて、表紙１３、１４とともに一体に製本する。【選択図】図１
0003123218.tif 000002
【実用新案登録請求の範囲】
【請求項１】
写真を用いて作成したページにより、表紙とともに製本して成る写真集であって、
デジタルデータをプリンターにより写真用紙に印刷する方法、デジタルデータから印画紙に焼き付ける方法、及び、銀塩フィルムを用いて印画紙に焼き付ける方法によって複製されたものを含む、写真プリントを用いて、任意のテーマの写真集を構成するページ構成紙を作成し、上記の写真集を構成するページ構成紙と、写真集に関連するスナップ写真、名札、メニュー、チケットなどの内の一部もしくは全部を、当該写真集に関連したシート状の記念品として貼り付ける台紙を有するアルバムページとを併せて、表紙とともに一体に製本したことを特徴とするアルバム付き写真集。
【請求項２】
写真プリントは、ページ構成紙の表面と裏面の両面に存在するか、又は片面にのみ存在しており、写真プリントがページ構成紙の片面にのみ存在している場合、ページ構成紙の他の面をアルバムページの台紙として利用するか、或いは、他の面に台紙を貼り付けアルバムページを構成するものとした請求項１記載のアルバム付き写真集。
【考案の詳細な説明】
【技術分野】
【０００１】
本考案は、写真を用いて作成したページを使用し、表紙とともに製本して成るアルバム付きの写真集に関するものである。
【背景技術】
【０００２】
例えば、演劇、オペラ、歌謡ショー、相撲、その他のスポーツの興行などのエンターテイメント、絵画や、彫刻などの芸術作品の鑑賞、観光、風景、さらには結婚式など、あらゆるテーマを題材にして写真集が作成される。従来、これらの写真集は製版を伴う印刷によって作成されて来た。印刷は、大量に生産する場合には１冊あたりの経費が少なくて済むが、少量生産の場合には、却って高くつくという欠点があった。個人的に印刷するケースの場合、自分なりの思い入れをこめるために好みを出したい、いわゆるカスタマイズしたいという希望も多い。少量生産は、このような希望に最適であるが、問題は経費であった。
【０００３】
これに対して、従来の技術を検討すると、実用新案登録第３０１７０４６号や、特開２００４−５０４９６号に見られるように、アルバムの表紙に、特定の写真を貼り付ける方法が開示されているのを見出す程度に止まる。このようなアルバムでは、写真集を作ろうとしても、何も示唆を得ることができない。
【０００４】
【特許文献１】実用新案登録第３０１７０４６号
【特許文献２】特開２００４−５０４９６号
【考案の開示】
【考案が解決しようとする課題】
【０００５】
本考案は以上の点に着目して成されたもので、その課題は、安価に少量生産が可能であり、かつ、カスタマイズの容易なアルバム付き写真集を提供することである。なお、本考案において、少量生産とは、概ね１０００部を越えない程度の規模の生産量を指すものとする。また、本考案の他の課題は、製版工程を経る印刷特有の網点が発生しない、より高品位なアルバム付き写真集を提供することである。
【課題を解決するための手段】
【０００６】
前記の課題を解決するため本考案は、写真を用いて作成したページにより、表紙とともに製本して成る写真集について、デジタルデータをプリンターにより写真用紙に印刷する方法、デジタルデータから印画紙に焼き付ける方法、及び、銀塩フィルムを用いて印画紙に焼き付ける方法によって複製されたものを含む、写真プリントを用いて、任意のテーマの写真集を構成するページ構成紙を作成し、上記の写真集を構成するページ構成紙と、写真集に関連するスナップ写真、名札、メニュー、チケットなどの内の一部もしくは全部を、当該写真集に関連したシート状の記念品として貼り付ける台紙を有するアルバムページとを併せて、表紙とともに一体に製本するという手段を講じたものである。
【０００７】
本考案に係るアルバム付き写真集は、写真を用いて作成したページを使用し、表紙とともに製本して成るものであるが、その写真は製版工程を経ることなく複製されたものでなければならない。つまり、本考案の写真集を構成するページ構成紙は、デジタルデータをプリンターにより写真用紙に印刷するか、或いは、銀塩フィルムを用いて印画紙に焼き付けるかの、どちらかの方法によって複製されたもの（これを写真プリントと呼ぶ）を、そのまま使用するものとする。よって、少量生産に適し、かつ、印刷特有の網点が発生しない、より高品位なものとなる。
【０００８】
写真プリントは、デジタルデータをプリンターにより写真用紙に印刷するか、デジタルデータから現像機器（いわゆるミニラボ）、デジタルプリンターなどにより印画紙に焼き付けるか、或いは、銀塩フィルムを用いて印画紙に焼き付けるかしたのが主なものであるが、これらの写真プリントを、そのまま写真集を構成するページ構成紙として使用することができる。この場合、プリンターにより印刷する写真用紙、または、焼き付けられた印画紙が、そのままページ構成紙になる。また、写真プリントを、例えば厚紙より成るページ用紙の表面と裏面の両面または片面に貼り付ける方法を取ることもできる。写真プリントがページ構成紙の片面にのみ存在している場合、ページ構成紙の他の面をアルバムページの台紙として利用するか、或いは、他の面に台紙を貼り付けアルバムページを構成することができる。
【０００９】
そして、本考案のものは、上記の写真集を構成するページと、スナップ写真、名札、メニュー、チケットなどの内の一部もしくは全部を、当該写真集に関連したシート状の記念品として貼り付ける空きページから成る台紙を有するアルバムページとを併せて、表紙とともに一体に製本する、という構成を取る。写真集が、例えば、イベントの場合にはシート状の記念品は、入場チケットや同行者とのスナップ写真などとなり、結婚式の場合には案内状や名札、料理のメニュー、出席者の名簿等となり、相撲の場合には番付や入場券、力士のスナップ写真などとなる。
【００１０】
写真集を構成するページ構成紙の厚さ及び枚数、アルバムを構成する台紙ページの厚さ及び枚数は、それぞれ任意に選択することができる。写真集を構成するページ構成紙は、アルバムの台紙ページよりも厚く、ページ数も多いのが普通であるが、しかし、その逆であってはならないということではない。アルバムの台紙ページとして、台紙とその表面に剥離可能に接着された透明カバーとからなる構造のものを使用したときには、写真その他の記念品の差し替えや取り外しも可能になる。
【００１１】
また、本考案に係るアルバム付き写真集には、製作番号（シリアルナンバー）を付すことができる。製作番号（シリアルナンバー）は、当該写真集が部数限定製作であることを表示することになり、希少性が備わる。製作番号を付す箇所は、表裏どちらかの表紙、または、背表紙が適している。
【考案の効果】
【００１２】
本考案は上記のように構成されかつ作用するものであるから、印刷のための製版を起こす必要がないので、１０００部程度までであれば安価に少量生産が可能であり、かつ、シート状の記念品をアルバムページに貼付することができるので、カスタマイズの容易なアルバム付き写真集を提供することができるという効果を奏する。また、本考案によれば、製版工程を経ることなく、印刷特有の網点が発生しないので、より高品位なアルバム付き写真集を提供することができる。
【考案を実施するための最良の形態】
【００１３】
以下図示の実施形態を参照して、本考案をより詳細に説明する。本考案に係るアルバム付き写真集１０は、写真プリントを用いて作成した写真集を構成する複数枚のページ構成紙１１と、アルバムを構成するアルバムページ１２を使用し、表裏の表紙１３、１４とともに製本して成るものである。写真の集合したものであるので、ページ構成紙１１は必ず複数枚から成り、これに対して、アルバムを構成するアルバムページ１２は最小限１枚でも良い。
【００１４】
図示の例では、写真集１０を構成する複数枚のページ構成紙１１として、デジタルデータをプリンターにより写真用紙に印刷するか、デジタルデータから現像機器により印画紙に焼き付けるか、或いは、銀塩フィルムを用いて印画紙に焼き付けるかして形成した写真プリント１５を、厚紙より成るページ構成紙台紙１６の表面と裏面の両面に貼り付け、１枚のページとした構成を有している（図２参照）。
【００１５】
写真プリント１５は、本考案に係る写真集１０の主要な構成部分であり、前記のように演劇、歌謡ショー、相撲などの興行、或いは結婚式などの内容を撮影した任意のテーマのものから成っている。各ページ構成紙１１の中の写真の割付は、１ページ当たり１枚、或いは、２ページ見開きから、１ページに複数駒を収めるものまで任意に設定することができる。
【００１６】
このようなページ構成紙１１の所要枚数を、アルバムページ１２とともに綴じて本考案の写真集１０とする。図示の例におけるアルバムページ１２は、アルバムの空きページとして、台紙１７とその表面に剥離可能に接着された透明カバー１８とからなる構造のものを使用している（図４）。空きページであるから、スナップ写真や入場チケットその他のシート状の記念品１９を貼り付けることができ、また、写真その他の記念品の差し替えや取り外しも可能になる。
【００１７】
写真プリント１５がページ構成紙１１の片面にのみ存在している場合において、無駄を省き、かつ、体裁を向上させる上で、ページ構成紙１１とアルバムページ１２の境界に、それらのページ１１、１２の片面を貼り合わせたものを用いることが有効である。図３はその１例を示しており、このものは、厚紙１６の片面に貼り付けた写真プリント１５と、厚紙１６の多面に、片面を貼り付けた台紙１７と、その台紙１７の他面に剥離可能に設けた透明カバー１８とから構成されている。
【００１８】
また、本考案のアルバム付き写真集１０では、表裏の表紙１３、１４を開くと平らになるように、ページ構成紙１１とアルバムページ１２が、表裏の表紙１３、１４とともに綴じられている（図５参照）。そして、表裏の表紙１３、１４などの適当な箇所には、製作部数中の何部目のものであるかを示すためにシリアルナンバーが打たれている。図中２０は、ケースであり、本考案のアルバム付き写真集１０を収める。２１は背表紙を示す。
【図面の簡単な説明】
【００１９】
【図１】本考案に係るアルバム付き写真集の一例を示す斜視図。
【図２】図１のＩＩ−ＩＩ線断面図。
【図３】図１のＩＩＩ−ＩＩＩ線断面図。
【図４】図１のＩＶ−ＩＶ線断面図。
【図５】本考案に係るアルバム付き写真集の背の部分を示すもので、Ａは閉じた状態の、Ｂは開いた状態の説明図。
【符号の説明】
【００２０】
１０  アルバム付き写真集
１１  ページ構成紙
１２  アルバムページ
１３、１４  表裏の表紙
１５  写真プリント
１６  厚紙
１７  台紙
１８  透明カバー
１９  シート状の記念品
２０  ケース
【図１】
0003123218.tif 000003
【図２】
0003123218.tif 000004
【図３】
0003123218.tif 000005
【図４】
0003123218.tif 000006
【図５】
0003123218.tif 000007